(57)【要約】【課題】排水口を開閉可能な排水栓が常設されている場合であっても、ボウル部に細菌が多く付着していても排水口の内部における黴の発生や細菌の繁殖を抑制する。【解決手段】排水口を有し排水口に向う排水勾配が形成されたボウル部と、排水栓と、バックガードと、水道水を吐出する水道水吐水部を有する水栓装置と、除菌作用を有する機能水を霧状に吐出する機能水吐水部を有する機能水吐出装置と、を備え、機能水吐出装置は、水栓装置が水道水を吐出する位置よりもボウル部に近い位置から機能水を吐出するために、機能水吐水部が水道水吐水部よりも低い位置となるようにバックガードの前面に取り付けられ、機能水吐出装置は、機能水を排水栓およびその近傍位置に霧状吐水の状態で着水するように吐出させ、着水した機能水がボウル部の表面で広がることを抑えて水膜を生成し、水膜を排水勾配に沿って排水口に流すことにより機能水を排水口の内部に導く洗面化粧台。【選択図】図５
2017127380.tif 000002
【特許請求の範囲】
【請求項１】
排水口を有し前記排水口に向かって下方へ傾斜した排水勾配が形成されたボウル部と、
前記排水口を開閉可能な排水栓と、
前記ボウル部の後部に設けられたバックガードと、
前記ボウル部に水道水を吐出する水道水吐水部を有する水栓装置と、
除菌作用を有する機能水を霧状に吐出する機能水吐水部を有する機能水吐出装置と、
を備え、
前記機能水吐出装置は、前記水栓装置が水道水を吐出する位置よりも前記ボウル部に近い位置から前記機能水を吐出するために、前記機能水吐水部が前記水道水吐水部よりも低い位置となるように前記バックガードの前面に取り付けられ、
前記機能水吐出装置は、前記機能水を前記排水栓およびその近傍位置に霧状吐水の状態で着水するように吐出させ、着水した前記機能水が前記ボウル部の表面で広がることを抑えて水膜を生成し、前記水膜を前記排水勾配に沿って前記排水口に流すことにより前記機能水を前記排水口の内部に導くことを特徴とする洗面化粧台。
【発明の詳細な説明】
【技術分野】
【０００１】
本発明は、一般的に、洗面化粧台に関する。
【背景技術】
【０００２】
排水口が設けられたボウル部と、ボウル部に水を吐出する吐水部を有する水栓装置と、を備えた洗面化粧台が知られている。また、除菌作用を有する機能水を生成する電解水生成手段と、電解水生成手段により生成された機能水を水周り設備に散布する電解水散布手段と、を備えた水周り設備洗浄装置が知られている（特許文献１）。特許文献１に記載された水周り設備洗浄装置によれば、ボウル部の表面における菌の繁殖を抑えることができる。
【０００３】
洗面化粧台のボウル部の表面を流れる水のほとんど全ては、排水口の内部へ流れる。そのため、ボウル部のうちで排水口および排水口の内部は最も濡れる機会が多い。濡れた箇所には黴や細菌が繁殖しやすいため、排水口および排水口の内部では黴や細菌が多く繁殖している。したがって、排水口および排水口の内部にも機能水を吐出することが望ましい。
【０００４】
また、例えば電解水やオゾン水などの機能水が菌と反応すると、除菌を行った機能水の除菌成分は失われる。つまり、例えば電解水やオゾン水などの機能水の濃度は、菌と反応すると低下する。ここで、機能水が吐出されたときの機能水の着水範囲は、吐出された機能水の勢いにより着水面において広がることがある。機能水は、着水後に広がると、ボウル部の表面の広い範囲における菌と反応してしまう。その結果、機能水の濃度は、排水口の内部に流れたときには低下していることがある。
【０００５】
しかし、洗面化粧台の排水栓が上下方向に昇降し排水口を開閉させる場合には、排水栓の存在により、排水口の内部には機能水を直接的に吐出することができない。そのため、洗面化粧台が上下方向に昇降する排水栓を備える場合（排水口を開閉可能な排水栓が常設されている場合）には、機能水が排水口の内部に行きわたりにくく、排水口の内部における黴の発生や細菌の繁殖を抑制することが困難であるという問題がある。
【０００６】
このように、本発明者の得た知見によれば、ボウル部に着水した機能水がボウル部の表面に広がると、ボウル部の表面を除菌することができる一方で、排水口の内部には除菌作用が低下した機能水が流れるため、排水口の内部を除菌することが困難になる。そのため、排水口の内部における黴の発生や細菌の繁殖を抑制することが困難であるという問題がある。
【先行技術文献】
【特許文献】
【０００７】
【特許文献１】特開平１０−２８７２１号公報
【発明の概要】
【発明が解決しようとする課題】
【０００８】
本発明は、かかる課題の認識に基づいてなされたものであり、排水口を開閉可能な排水栓が常設されている場合であっても、ボウル部に細菌が多く付着していても排水口の内部における黴の発生や細菌の繁殖を抑制することができる洗面化粧台を提供することを目的とする。
【課題を解決するための手段】
【０００９】
本発明は、排水口を有し前記排水口に向かって下方へ傾斜した排水勾配が形成されたボウル部と、前記排水口を開閉可能な排水栓と、前記ボウル部の後部に設けられたバックガードと、前記ボウル部に水道水を吐出する水道水吐水部を有する水栓装置と、除菌作用を有する機能水を霧状に吐出する機能水吐水部を有する機能水吐出装置と、を備え、前記機能水吐出装置は、前記水栓装置が水道水を吐出する位置よりも前記ボウル部に近い位置から前記機能水を吐出するために、前記機能水吐水部が前記水道水吐水部よりも低い位置となるように前記バックガードの前面に取り付けられ、前記機能水吐出装置は、前記機能水を前記排水栓およびその近傍位置に霧状吐水の状態で着水するように吐出させ、着水した前記機能水が前記ボウル部の表面で広がることを抑えて水膜を生成し、前記水膜を前記排水勾配に沿って前記排水口に流すことにより前記機能水を前記排水口の内部に導くことを特徴とする洗面化粧台である。
【００１０】
ボウル部には数多くの菌が付着しているため、ボウル部に直接的に着水した機能水の除菌作用は、機能水がボウル部の表面の菌と反応して失われてしまう。そのため、発明者等が得た知見によれば、ボウル部に着水した機能水がボウル部に沿って広がると、ボウル部の表面は除菌される一方で、排水口の内部には除菌作用が低下した機能水が流れるため、排水口の内部を除菌することが困難になる。
【００１１】
これに対して、本発明に係る洗面化粧台では、機能水吐出装置は、水栓装置が水道水を吐出する位置よりもボウル部に近い位置から機能水を吐出するために、機能水吐水部が水道水吐水部よりも低い位置となるようにバックガードの前面に取り付けられている。そのため、機能水吐出装置は、霧状に吐出した機能水を、気流の影響等を受けることなく確実に、ボウル部の排水栓およびその近傍位置にわたる所定領域に霧状吐水の状態のままに着水させることができる。
【００１２】
霧状吐水の状態でボウル部に着水した機能水は水滴となり、時間が経過すると機能水の水滴同士が結合し水膜に成長する。水膜に成長した機能水は、排水勾配の傾斜面に沿って排水口の内部に流入する。
【００１３】
そして、機能水が前述した所定領域に吐出されるため、その所定領域は除菌される。そのため、機能水は、菌が死滅しつつある領域に着水することとなる。そのため、排水口の内部に流入する機能水は、次第に高い除菌作用を有した状態で排水口の内部に流入することとなる。したがって、排水口の上部に排水栓が常設されている洗面化粧台であっても、排水口の内部における黴の発生や細菌の繁殖を抑制することができる。
【発明の効果】
【００１４】
本発明の態様によれば、排水口を開閉可能な排水栓が常設されている場合であっても、ボウル部に細菌が多く付着していても排水口の内部における黴の発生や細菌の繁殖を抑制することができる洗面化粧台が提供される。
【図面の簡単な説明】
【００１５】
【図１】本発明の実施の形態にかかる洗面化粧台を表す模式的斜視図である。
【図２】本実施形態にかかる洗面化粧台の要部構成を表すブロック図である。
【図３】本実施形態の機能水吐出装置の具体例を例示する模式的斜視図である。
【図４】本実施形態の機能水生成部の具体例を表す模式的断面図である。
【図５】本実施形態のボウル部の近傍を表す模式的斜視図である。
【図６】本実施形態のボウル部を上から眺めた模式的平面図である。
【図７】図６に表した切断面Ｃ７−Ｃ７における模式的断面図である。
【図８】図６に表した切断面Ｃ８−Ｃ８における模式的断面図である。
【図９】図６に表した切断面Ｃ９−Ｃ９における模式的断面図である。
【図１０】図７に表した切断面Ｃ１０−Ｃ１０における模式的断面図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかる洗面化粧台を表す模式的斜視図である。  
図２は、本実施形態にかかる洗面化粧台の要部構成を表すブロック図である。  
図３は、本実施形態の機能水吐出装置の具体例を例示する模式的斜視図である。  
図４は、本実施形態の機能水生成部の具体例を表す模式的断面図である。
【００１７】
本実施形態にかかる洗面化粧台１００は、洗面台１１０と、水栓装置１２０と、機能水吐出装置１３０と、を備える。図１に表したように、洗面台１１０は、例えばキャビネット１９２の上に設けられている。洗面台１１０の上には、化粧鏡１９１が設けられていてもよい。なお、洗面台１１０の周囲に配置される部材は、キャビネット１９２および化粧鏡１９１だけには限定されない。
【００１８】
なお、本願明細書において、「上」、「下」、「右」および「左」という記載は、洗面化粧台１００の前で洗面化粧台１００を見た人を基準とした上、下、右および左をそれぞれいう。また、本願明細書においては、洗面化粧台１００から、洗面化粧台１００の前に居る人へ向かう方向を「前」方向とし、その逆方向を「後」方向とする。
【００１９】
洗面台１１０は、ボウル部１１１を有する。また、洗面台１１０は、排水口１１３（図５参照）を有する。排水口１１３の詳細については、後述する。
【００２０】
図１に表したように、水栓装置１２０は、バックガード１８０の前面１８１に設けられている。図２に表したように、水栓装置１２０は、水道水吐水部１２１を有する。水道水吐水部１２１は、ボウル部１１１に水道水１６７を吐出する。具体的に説明すると、水栓装置１２０は、分岐金具１４２および開閉弁１４４を介して給水源１４５に接続されている。分岐金具１４２は、例えばボウル部１１１の下に設けられている。水道水１６７は、水栓装置１２０の操作部である操作レバー１２２への手動操作により開閉弁１４４が開状態となった際に、開閉弁１４４を通って水道水吐水部１２１からボウル部１１１に吐出される。なお、本実施形態において、操作レバー１２２および開閉弁１４４は、互いに一体に設けられている。
【００２１】
図１に表したように、機能水吐出装置１３０は、バックガード１８０の前面１８１に設けられている。図２に表したように、機能水吐出装置１３０は、操作部１３１を有する。例えば使用者が操作部１３１を操作すると、機能水吐出装置１３０は、除菌作用を有する機能水１６１を霧状に吐出する。霧状の機能水１６１の粒子径は、分布をもっており、サブミクロンオーダーのものから、２０００マイクロメートル（μｍ）を越えるものまで存在する。霧状の機能水１６１の平均粒子径は、例えば約２００μｍ以上１５００μｍ以下程度である。図２に表したように、機能水吐出装置１３０は、分岐金具１４２および電磁弁１４３を介して給水源１４５に接続されている。電磁弁１４３は、例えばボウル部１１１の下に設けられている。電磁弁１４３と機能水吐出装置１３０との間には、機能水生成部１５０が設けられている。
【００２２】
機能水生成部１５０は、除菌作用を有する機能水１６１を生成する。例えば、図４に表したように、機能水生成部１５０は、陽極１５１と、陰極１５２と、を内部に有し、制御部１４１から出力された通電の制御信号により、陽極１５１と、陰極１５２と、の間の空間（流路）を流れる水道水を電気分解することができる。水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。
【００２３】
そこで、電圧が陽極１５１と陰極１５２との間に供給されると、式（１）に表した反応が陰極１５２において生ずる。
Ｈ＋＋ｅ−  →  １／２Ｈ２↑                 ・・・（１）
【００２４】
一方で、電圧が陽極１５１と陰極１５２との間に供給されると、式（２）および式（３）に表した反応が陽極１５１において生ずる。
２ＯＨ−  →  ２ｅ−＋Ｈ２Ｏ＋１／２Ｏ２↑    ・・・（２）
Ｃｌ−  →  ｅ−＋１／２Ｃｌ２               ・・・（３）
【００２５】
式（３）において発生した塩素は気泡としては存在しにくく、ほとんどの塩素は水に溶解する。そのため、式（３）において発生した塩素については、式（４）に表した反応が生ずる。このようにして、塩化物イオンを電気分解することにより次亜塩素酸（ＨＣｌＯ）が生成される。その結果、機能水生成部１５０において電気分解された水は、次亜塩素酸を含む液に変化する。
Ｃｌ２＋Ｈ２Ｏ  →  ＨＣｌＯ＋Ｈ＋＋Ｃｌ−    ・・・（４）
【００２６】
次亜塩素酸は、除菌成分として機能する。次亜塩素酸を含む液は、例えばボウル部１１１や排水口１１３、排水口１１３の内部１１６、ヘアキャッチャー１６５（図９（ａ）〜図９（ｃ）参照）などに付着している細菌を除菌することができる。
【００２７】
機能水が細菌と反応すると、式（５）に表した反応が生ずる。
Ｒ−Ｈ＋ＨＣｌＯ  →  Ｒ−ＯＨ＋Ｈ＋＋Ｃｌ−    ・・・（５）
式（５）の中に表した「Ｒ−Ｈ」は、有機物であり、例えば細菌の細胞である。式（５）の中に表した「Ｒ−ＯＨ」は、分解された有機物である。これにより、細菌の細胞が変性され、除菌（殺菌）が行われる。そして、機能水が細菌と反応すると、除菌成分（ＨＣｌＯ）が失われるため、結果として、機能水（除菌水）の濃度が下がる。
【００２８】
また、時間が経つと、式（６）に表した反応が生ずる。
２ＨＣｌＯ  →  ２Ｈ＋＋２Ｃｌ−＋Ｏ２    ・・・（６）
このように、時間が経つと、除菌成分（ＨＣｌＯ）が失われるため、結果として、機能水（除菌水）の濃度が下がる。
【００２９】
なお、本実施形態の機能水生成部１５０は、次亜塩素酸を含む液を生成することには限定されない。例えば、機能水生成部１５０において生成される機能水１６１は、オゾンなどを含む液であってもよい。また、機能水生成部１５０は、陽極板および陰極板を有する電解槽ユニットに限定されるわけではない。
【００３０】
制御部１４１が電磁弁１４３に信号を送信し電磁弁１４３を開くと、給水源１４５から供給された水道水は、分岐金具１４２および電磁弁１４３を通って機能水生成部１５０に供給される。機能水生成部１５０に供給された水道水は、機能水生成部１５０において機能水１６１として生成され、機能水吐出装置１３０からボウル部１１１に吐出される。
【００３１】
例えば、図３に表したように、機能水吐出装置１３０は、操作部１３１と、機能水吐水部１３２と、照射部１３３と、を有する。機能水吐出装置１３０は、例えば使用者が操作部１３１を操作すると、機能水生成部１５０により生成された機能水１６１を機能水吐水部１３２からボウル部１１１に向けて吐出する。機能水吐出装置１３０は、照射部１３３から光を放出し、機能水吐水部１３２から吐出された機能水１６１に光を照射してもよい。機能水吐水部１３２は、水道水吐水部１２１よりもボウル部１１１に近い低い位置に配設されている。すなわち、機能水吐出装置１３０は、機能水吐水部１３２を水道水吐水部１２１よりも低い位置となるように、水栓装置１２０よりも低い位置に取り付けられている。機能水吐水部１３２から霧状に吐出された機能水１６１は、排水口１１３の近傍の所定領域に霧状吐水の状態で着水する。これについて、図面を参照しつつさらに説明する。
【００３２】
図５は、本実施形態のボウル部の近傍を表す模式的斜視図である。  
図６は、本実施形態のボウル部を上から眺めた模式的平面図である。  
図７は、図６に表した切断面Ｃ７−Ｃ７における模式的断面図である。  
図８は、図６に表した切断面Ｃ８−Ｃ８における模式的断面図である。
【００３３】
図５〜図８に表したように、ボウル部１１１は排水口１１３を有する。図７および図８に表したように、ボウル部１１１の表面１１５には、排水口１１３に向かって下方に傾斜した排水勾配が形成されている。排水口１１３の上には、排水栓１１２が設けられている。排水栓１１２は、排水口１１３の部分に常設され、上下方向に昇降することにより排水口１１３を開閉することができる。
【００３４】
ここで、ボウル部には数多くの菌が付着している。そのため、ボウル部に直接的に着水した機能水の除菌作用は、機能水がボウル部の表面の菌と反応して失われてしまう。そのため、発明者等が得た知見によれば、ボウル部に着水した機能水がボウル部に沿って広がると、ボウル部の表面は除菌される一方で、排水口の内部には除菌作用が低下した機能水が流れるため、排水口の内部を除菌することが困難になる。
【００３５】
これに対して、本実施形態にかかる洗面化粧台１００では、機能水吐出装置１３０は、霧状に吐出した機能水１６１を排水口１１３の近傍の所定領域Ａ１（排水栓およびその近傍領域）に霧状吐水の状態で着水させる。機能水吐出装置１３０は、所定領域Ａ１に着水した機能水１６１がボウル部１１１で広がることを抑えて水膜を形成する。そして、機能水吐出装置１３０は、水膜をボウル部１１１の排水勾配に沿って排水口１１３に流すことにより機能水１６１を排水口１１３の内部１１６（図９参照）に導く。これについて、図面を参照しつつさらに説明する。
【００３６】
図９は、図６に表した切断面Ｃ９−Ｃ９における模式的断面図である。  
図９（ａ）は、機能水吐出装置１３０から霧状に吐出された機能水１６１がボウル部１１１に着水した直後の状態を表す模式的断面図である。図９（ｂ）は、霧状の機能水１６１から水滴が形成された状態を表す模式的断面図である。図９（ｃ）は、水滴が水膜に成長した状態を表す模式的断面図である。
【００３７】
図９（ａ）に表したように、機能水吐出装置１３０は、ボウル部１１１に向かって機能水１６１を霧状に吐出する。すなわち、機能水吐出装置１３０は、霧状に吐出した機能水１６１を排水口１１３の近傍の所定領域Ａ１に着水させる。
【００３８】
図９（ｂ）に表したように、ボウル部１１１に着水した機能水１６１は、水滴１６２となる。図９（ｃ）に表したように、水滴１６２は、時間が経過すると機能水１６１の水滴１６２同士が結合し、水膜１６３に成長する。水膜１６３に成長した機能水１６１は、機能水１６１の自重（水膜１６３の自重）によってボウル部１１１の排水勾配の傾斜面に沿って排水口１１３の内部１１６に流入する。
【００３９】
そして、機能水１６１が所定領域Ａ１に吐出されるため、所定領域Ａ１は除菌される。そのため、機能水１６１は、菌が死滅しつつある所定領域Ａ１に着水することとなる。そのため、排水口１１３の内部１１６に流入する機能水１６１は、次第に高い除菌作用を有した状態で排水口１１３の内部１１６に流入することとなる。したがって、排水口１１３の縁部１１４の全体における黴の発生や細菌の繁殖を抑制することができるとともに、排水口１１３の上部に排水栓１１２が常設されている洗面化粧台１００であっても、排水口１１３の内部１１６における黴の発生や細菌の繁殖を抑制することができる。
【００４０】
前述したように、機能水（例えば、電解水）の除菌作用は、吐出された対象物に付着した菌と反応して失われる。したがって、一定以上の濃度（例えば、１ｐｐｍ以上）を有する機能水が排水勾配に沿って排水口の内部に流入するように、機能水吐出装置１３０は、ある程度の流量、着水範囲、吐出時間で、機能水１６１を霧状に吐出する必要がある。例えば、機能水吐出装置１３０は、２５０ｃｃ／分の流量で、径が排水口１１３よりも１ｃｍ以上大きい着水範囲に、１０秒以上の吐出時間で機能水１６１を吐出する。これにより、一定以上の濃度（例えば、１ｐｐｍ以上）を有する機能水を排水口１１３の内部１１６に流入させることができる。
【００４１】
図５および図６に表したように、所定領域Ａ１は、排水口１１３の全周囲を含んでいる。これによれば、機能水１６１は、排水口１１３の全周囲に着水して水膜１６３を形成して、排水口１１３の内部１１６に流れる。そのため、排水口１１３の内部１１６に効率よく機能水１６１が行き渡ることになるため、排水口１１３の内部１１６の除菌に必要な機能水１６１の量を少なくでき、機能水吐出装置１３０から機能水１６１を吐出する時間を短くすることができる。これにより、節水を図ることができる。また、機能水１６１が電解水である場合には、言い換えれば、図４に例示したように機能水生成部１５０が電極を有する電解槽である場合には、電極の通電時間を短くすることができ、節電を図ることができる。そのため、機能水１６１を生成するコストを削減することができる。また、電極の消耗を抑えることができ、電極の寿命を長持ちさせることができる。
【００４２】
図１０は、図７に表した切断面Ｃ１０−Ｃ１０における模式的断面図である。  
図７および図１０に表したように、機能水１６１は、機能水吐出装置１３０から円錐状に吐出される。円錐状に吐出された機能水１６１の内部の空間は、霧状の機能水１６１で満たされている。つまり、機能水吐出装置１３０から吐出された機能水１６１の吐水形態は、充円錐吐水である。これにより、排水口１１３の周囲だけではなく、排水栓１１２を除菌し、きれいにすることができる。
【００４３】
図１１は、本実施形態のボウル部の変形例を表す模式的断面図である。  
図１１は、図６に表した切断面Ｃ９−Ｃ９における模式的断面図に相当する。
【００４４】
機能水吐出装置から霧状に吐出された機能水は、水滴が連結した水膜を形成し、機能水の着水位置と、排水口の内部と、の間におけるボウル部の表面の傾斜（排水勾配）を利用して自重で排水口の内部へ向かって流れる。この際に、水膜は、ボウル部の表面を動くことによって分割され、小さくなってしまい、自重をもってもボウル部の表面を流れなくなる可能性がある。
【００４５】
これに対して、図１１に表したボウル部１１１Ａでは、機能水吐出装置１３０から霧状に吐出された機能水１６１の着水位置と、排水口１１３の内部１１６と、の間におけるボウル部１１１Ａの表面１１５Ａの傾斜は、機能水１６１の着水位置から排水口１１３の内部１１６へ向かって徐々に急になっている。
【００４６】
これによれば、機能水１６１の着水位置と、排水口１１３の内部１１６と、の間におけるボウル部１１１Ａの表面１１５Ａの傾斜が、着水位置から排水口１１３の内部１１６へ向かって徐々に急になっている。そのため、水膜１６３は、小さくなったとしても、確実に排水口１１３の内部１１６に流れることができる。
【００４７】
機能水吐出装置１３０は、機能水吐水部１３２が水道水吐水部１２１よりも低い位置となるようにバックガード１８０の前面に取り付けられている。このことより、機能水吐出装置１３０は、水栓装置１２０が水道水を吐出する位置よりもボウル部１１１に近い位置から機能水１６１を吐出できる。したがって、機能水吐出装置１３０は、洗面化粧台が設置された部屋内の気流の影響等を受けることなく、機能水１６１を、霧状吐水の状態で、ボウル部１１１の所定領域に確実に着水させるように、吐出させることができる。
【００４８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、機能水吐出装置１３０および機能水生成部１５０などが備える各要素の形状、寸法、材質、配置などや機能水吐出装置１３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４９】
１００ 洗面化粧台、  １１０ 洗面台、  １１１、１１１Ａ ボウル部、  １１２ 排水栓、  １１３ 排水口、  １１４ 縁部、  １１５、１１５Ａ 表面、  １１６ 内部、  １２０ 水栓装置、  １２１ 水道水吐水部、  １３０ 機能水吐出装置、  １３１ 操作部、  １３２ 機能水吐水部、  １３３ 照射部、  １４１ 制御部、  １５０ 機能水生成部、  １５１ 陽極、  １５２ 陰極、  １６１ 機能水、  １６２ 水滴、  １６３ 水膜、  １６７ 水道水、  １８０  バックガード
【図１】
2017127380.tif 000003
【図２】
2017127380.tif 000004
【図３】
2017127380.tif 000005
【図４】
2017127380.tif 000006
【図５】
2017127380.tif 000007
【図６】
2017127380.tif 000008
【図７】
2017127380.tif 000009
【図８】
2017127380.tif 000010
【図９】
2017127380.tif 000011
【図１０】
2017127380.tif 000012
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
排水口を有し前記排水口に向かって下方へ傾斜した排水勾配が形成されたボウル部と、
前記排水口を開閉可能な排水栓と、
前記ボウル部の後部に設けられたバックガードと、
前記ボウル部に水道水を吐出する水道水吐水部を有する水栓装置と、
除菌作用を有する機能水を霧状に吐出する機能水吐水部を有する機能水吐出装置と、
を備え、
前記排水口は、前記ボウル部の前記バックガード寄りに設けられ、
前記機能水吐出装置は、前記水栓装置が水道水を吐出する位置よりも前記ボウル部に近い位置から前記機能水を吐出するために、前記機能水吐水部が前記水道水吐水部よりも低い位置となるように前記バックガードの前面に取り付けられ、
前記機能水吐出装置は、前記機能水を前記排水栓およびその近傍の所定領域に霧状吐水の状態で着水するように吐出させ、着水した前記機能水が、吐出された前記機能水の勢いによって前記ボウル部の表面において着水範囲を広げてしまうことを抑えて、着水した前記機能水の水滴同士を結合させて水膜を生成し、前記水膜を前記排水勾配の傾斜面に沿って前記排水口に流すことにより前記機能水を前記排水口の内部に導くことを特徴とする洗面化粧台。
【手続補正２】
【補正対象書類名】明細書
【補正対象項目名】０００９
【補正方法】変更
【補正の内容】
【０００９】
本発明は、排水口を有し前記排水口に向かって下方へ傾斜した排水勾配が形成されたボウル部と、前記排水口を開閉可能な排水栓と、前記ボウル部の後部に設けられたバックガードと、前記ボウル部に水道水を吐出する水道水吐水部を有する水栓装置と、除菌作用を有する機能水を霧状に吐出する機能水吐水部を有する機能水吐出装置と、を備え、前記排水口は、前記ボウル部の前記バックガード寄りに設けられ、前記機能水吐出装置は、前記水栓装置が水道水を吐出する位置よりも前記ボウル部に近い位置から前記機能水を吐出するために、前記機能水吐水部が前記水道水吐水部よりも低い位置となるように前記バックガードの前面に取り付けられ、前記機能水吐出装置は、前記機能水を前記排水栓およびその近傍の所定領域に霧状吐水の状態で着水するように吐出させ、着水した前記機能水が、吐出された前記機能水の勢いによって前記ボウル部の表面において着水範囲を広げてしまうことを抑えて、着水した前記機能水の水滴同士を結合させて水膜を生成し、前記水膜を前記排水勾配の傾斜面に沿って前記排水口に流すことにより前記機能水を前記排水口の内部に導くことを特徴とする洗面化粧台である。
【手続補正３】
【補正対象書類名】図面
【補正対象項目名】図１
【補正方法】変更
【補正の内容】
【図１】
2017127380.tif 000013
【手続補正４】
【補正対象書類名】図面
【補正対象項目名】図５
【補正方法】変更
【補正の内容】
【図５】
2017127380.tif 000014
【手続補正５】
【補正対象書類名】図面
【補正対象項目名】図７
【補正方法】変更
【補正の内容】
【図７】
2017127380.tif 000015
【手続補正６】
【補正対象書類名】図面
【補正対象項目名】図８
【補正方法】変更
【補正の内容】
【図８】
2017127380.tif 000016